(57)【特許請求の範囲】
【請求項１】
下記（Ａ）成分〜（Ｄ）成分を含有することを特徴とする液晶パネル用洗浄剤組成物。
（Ａ）  炭素数１０〜２４の長鎖アルキル２級アルコールの炭素数２〜４のアルキレンオキシド３〜２０モル付加体が１０質量％〜６０質量％
（Ｂ）  炭素数１〜８のアルコールの炭素数２〜４のアルキレンオキシド１〜６モル付加体が２質量％〜３０質量％
（Ｃ）  珪酸塩が０．５質量％〜２０質量％
（Ｄ）  水が３５質量％〜８５質量％
【請求項２】
液晶パネル用洗浄剤組成物を用いて液晶パネルを洗浄する洗浄方法において、請求項１に記載の洗浄剤組成物を水にて希釈した洗浄剤液中に、液晶パネルを浸漬して、超音波処理を行い、次いで、液晶パネルを水に浸漬し、超音波処理を行う工程を含むことを特徴とする液晶パネルの洗浄方法。
【発明の詳細な説明】
【０００１】
【発明の属する技術分野】
本発明は、液晶パネルの洗浄、特に、液晶パネルのカレットの洗浄に優れた液晶パネル用洗浄剤組成物及びその組成物を用いた液晶パネルの洗浄方法に関する。
【０００２】
【従来技術】
従来より、液晶パネルは、コンピュータ端末表示用、テレビ用など幅広い用途に用いられている。
この液晶パネルの製造に際しては、透明電極が形成された２枚のガラス基板間に液晶を封入するため、一部開口部を残して、上下ガラス基板をその周縁部で接着剤により貼り合わせて液晶室を形成し、空の液晶パネルを作成している。
この空パネルは、真空にした注入室内で開口部が液晶物質中に浸され、次いで、注入室を大気に解放することにより、液晶物質がガラス基板間（液晶室内）に吸引され、開口部をシールすることにより、基板間に液晶物質の封入された液晶セルが形成されることとなる。
【０００３】
上記基板間に液晶物質の封入される際、液晶パネルガラス基板の接着部の外側には、μｍオーダーの微少ギャップが生じ、この空隙部に液晶物質が入り込んでいる状態となっている。
この液晶物質をこのままにしておくと、液晶物質が大気中の汚染物質を取り込み絶縁不足を生じやすいため、この空隙部の液晶物質を洗浄除去する必要がある。
この液晶物質の洗浄除去に関しては、例えば、特開平３−７０８００号公報、特開平５−２７１６９９号公報、特開平７−１３３４９６号公報、特開平１１−１８９７８７号公報等に液晶パネル用洗浄剤組成物が開示されている。
【０００４】
ところで、液晶物質注入前の液晶パネルを、所定の大きさにするために、切断する工程において、切断の際にガラスくず（カレット）が発生し、これが液晶表示パネル表面及び端子部分に付着する場合がある。
この液晶パネルに付着したカレットをそのままにしておくと、画像表示に悪影響を与える。
しかしながら、このカレット付着除去に有効な洗浄剤については、未だ有効なものがないのが現状である。
【０００５】
【発明が解決しようとする課題】
本発明は、上記従来技術の課題等について、これを解消しようとするものであり、カレットの洗浄除去に優れると共に、液晶パネル表面及び空隙部の液晶物質の汚垢の洗浄にも優れる液晶パネル用洗浄剤組成物及びその組成物を用いた液晶パネルの洗浄方法を提供することを目的とする。
【０００６】
【課題を解決するための手段】
本発明者らは、上記従来技術の課題等について、鋭意検討した結果、特定の炭素数を有する長鎖アルキル２級アルコールのアルキレンオキシド付加体と、特定の炭素数を有するアルコールのアルキレンオキシド付加体と、珪酸塩と、水とを夫々特定量とすることにより、上記目的の液晶パネル用洗浄剤組成物及びその組成物を用いた液晶パネルの洗浄方法が得られることを見い出し、本発明を完成するに至ったのである。
すなわち、本発明は、次の(1)及び(2)に存する。
(1) 下記（Ａ）成分〜（Ｄ）成分を含有することを特徴とする液晶パネル用洗浄剤組成物。
（Ａ）  炭素数１０〜２４の長鎖アルキル２級アルコールの炭素数２〜４のアルキレンオキシド３〜２０モル付加体が１０質量％〜６０質量％
（Ｂ）  炭素数１〜８のアルコールの炭素数２〜４のアルキレンオキシド１〜６モル付加体が２質量％〜３０質量％
（Ｃ）  珪酸塩が０．５質量％〜２０質量％
（Ｄ）  水が３５質量％〜８５質量％
(2) 液晶パネル用洗浄剤組成物を用いて液晶パネルを洗浄する洗浄方法において、上記(1)に記載の洗浄剤組成物を水にて希釈した洗浄剤液中に、液晶パネルを浸漬して、超音波処理を行い、次いで、液晶パネルを水に浸漬し、超音波処理を行う工程を含むことを特徴とする液晶パネルの洗浄方法。
【０００７】
【発明の実施の形態】
以下に、本発明の実施の形態を詳しく説明する。
本発明の液晶パネル用洗浄剤組成物は、下記（Ａ）成分〜（Ｄ）成分を含有することを特徴とするものである。以下において、「質量％」は、単に「％」と略記する。
（Ａ）  炭素数１０〜２４の長鎖アルキル２級アルコールの炭素数２〜４のアルキレンオキシド３〜２０モル付加体が１０％〜６０％
（Ｂ）  炭素数１〜８のアルコールの炭素数２〜４のアルキレンオキシド１〜６モル付加体が２％〜３０％
（Ｃ）  珪酸塩が０．５％〜２０％
（Ｄ）  水が３５％〜８５％
【０００８】
本発明に用いる（Ａ）成分は、炭素数１０〜２４の長鎖アルキル２級アルコールの炭素数２〜４のアルキレンオキシド３〜２０モル付加体である。
炭素数１０〜２４の長鎖アルキル２級アルコールとしては、例えば、パラフィンの酸化により製造される長鎖アルキル２級アルコール（日本触媒社製の「ソフタノール」）、アルコールの２量化により製造されるゲルベ型長鎖アルキル２級アルコール、長鎖オレフィンの水付加反応により製造される長鎖アルキル２級アルコールなどが挙げられるが、好ましくは、パラフィンの酸化により製造される長鎖アルキル２級アルコールである。
これらの長鎖アルキル２級アルコールの炭素数は１０〜２４であるが、好ましくは１０〜１８であるものが望ましい。炭素数が１０未満では、界面吸着量の低下による洗浄力不足となり、また、炭素数が２４を越えるものでは、浸透性、液性の低下による洗浄力不足となり、好ましくない。
【０００９】
また、炭素数２〜４のアルキレンオキシドとしては、エチレンオキシド、プロピレンオキシド、ブチレンオキシドが挙げられる。これらは各々単独又は混合物であってもかまわないが、好ましくは、エチレンオキシド単独ないしはエチレンオキシドとプロピレンオキシドの混合物であるものが望ましい。
また、その付加モル数は３〜２０モル、好ましくは、５〜１５モルである。この付加モル数が３モル未満では、液安定性の点で不充分であり、また、２０モルを越えると、洗浄力が低下するので不充分である。
この（Ａ）成分の配合量は、洗浄剤組成物全量に対して、１０％〜６０％であり、より好ましくは１０％〜５０％である。
（Ａ）成分の配合量が１０％未満であると、希釈時の洗浄力不足となり、また、６０％を越えると、液安定性が悪くなるので、好ましくない。
【００１０】
本発明に用いる（Ｂ）成分は、炭素数１〜８のアルコールの炭素数２〜４のアルキレンオキシド１〜６モル付加体である。
炭素数１〜８のアルコールとしては、例えば、メタノール、エタノール、ヘキサノール、オクタノール、２―エチルヘキサノール、フェノール等が挙げられ、好ましくは、２〜８の炭素数のものである。
炭素数が１未満では、水溶性が高くなり界面活性能が低下して洗浄力不足となり、また、炭素数が８を越えるものでは、親油性が高くなるため液安定性不良となり、好ましくない。
【００１１】
また、アルキレンオキシドとしては、例えば、エチレンオキシド、プロピレンオキシド、ブチレンオキシドが挙げられるが、好ましくはエチレンオキシド単独、ないし、エチレンオキシド、プロピレンオキシド混合物である。この付加モル数は１〜６モル、好ましくは、１〜４モルである。
付加モル数が１モル未満では、親油性が高く液安定性不良であり、６モルを越えると、親水性が高くなり油汚垢への浸透性が低下するので、好ましくない。
この（Ｂ）成分の配合量は、洗浄剤組成物全量に対して、２％〜３０％であり、より好ましくは３％〜２０％である。
（Ｂ）成分の配合量が２％未満であると、油性汚垢に対する洗浄力不足となり、また、３０％を越えると、液安定性不良となり、好ましくない。
【００１２】
本発明に用いる（Ｃ）成分は、珪酸塩であり、この珪酸塩としては、例えば、、珪酸カリ、珪酸ソーダなどが挙げられる。具体的には、オルト珪酸塩、セスキ珪酸塩、メタ珪酸塩、１〜４号珪酸塩等が挙げられる。
本発明に用いる（Ｃ）成分の珪酸塩は、液晶パネルを洗浄する際、液晶パネルを保持するために使用する保持具、その他の部品が、アルミニウム製の場合があるので、好ましくは、アルミニウムに対する腐食性の少ない、メタ珪酸塩が最も望ましい。
この（Ｃ）成分の配合量は、洗浄剤組成物全量に対して、０．５〜２０％、好ましくは、低温での液安定性の面から０．５〜１０％である。
（Ｃ）成分の配合量が０．５％未満であると、カレット洗浄力不足となり、また、２０％を越えると、珪酸塩の析出する現象の起こることがあり、液安定性が悪くなるので、好ましくない。
【００１３】
本発明に用いる（Ｄ）成分は、水（イオン交換水、精製水、純水）である。
（Ｄ）成分の水の配合量は、洗浄剤組成物全量に対して、３５％〜８５％であり、好ましくは、洗浄力の面から５０％〜７０％である。
この（Ｄ）成分の水の配合量が３５％未満であると、希釈時の液安定性不良となり、また、８０％を越えると、洗浄力不足となり、好ましくない。
【００１４】
本発明の液晶パネル用洗浄剤組成物は、上記（Ａ）成分〜（Ｄ）成分の他に、更なる液晶洗浄性を向上するために、炭素数１０〜１６のパラフィン、オレフィン、並びに、更なる液安定性の観点から短鎖１価〜多価アルコールを配合することができる。
炭素数１０〜１６のパラフィン、オレフィンとしては、例えば、デカン、ドデカン、ヘキサデカン、デセン、ドデセン、ヘキサデセンなどが挙げられる。これらの配合量は、洗浄剤組成物全量に対して、０．５％〜１５％である。
また、炭素数２〜４の短鎖１価〜多価アルコールとしては、例えば、エタノール、プロパノール、グリセリン、エチレングリコール、プロピレングリコール、ブタノールなどが挙げられる。これらの配合量は、洗浄剤組成物全量に対して、１％〜２０％である。
更に、本発明の液晶パネル用洗浄剤組成物には、本発明の効果を損なわない範囲で、その他、キレート剤、防腐剤、腐食抑制剤等の公知の添加剤を適宜配合することができる。
【００１５】
本発明の液晶パネル用洗浄剤組成物は、上記（Ａ）〜（Ｄ）成分などを配合し、混合することにより製造されるが、該洗浄組成物は５〜４５℃の幅広い領域で均一安定な液体系を保つものであり、液晶パネルのカレットの洗浄力に優れると共に、液晶パネル表面及び空隙部位の液晶物質の汚垢の洗浄にも優れた性能を発揮することができるものとなる。
【００１６】
本発明の洗浄方法は、上記（Ａ）〜（Ｄ）成分を含有する洗浄剤組成物を水にて希釈した洗浄剤液中に、液晶パネルを浸漬して、超音波処理を行い、次いで、液晶パネルを水に浸漬し、超音波処理を行う工程を含むことを特徴とするものである。
本発明における液晶パネル用洗浄剤組成物は、洗浄において原液（１００％）〜１％水希釈まで幅広く適用することができるが、好ましくは、洗浄力の面より５〜５０％水希釈とすることが望ましい。
このように調整した洗浄液中に、液晶パネルを浸し、洗浄するが、洗浄方法としては、浸漬洗浄、撹拌洗浄、超音波洗浄などが用いられるが、好ましくは、超音波洗浄であり、通常３０〜６０℃の加温下で洗浄させることが望ましい。
【００１７】
次いで、すすぎ工程に移るが、すすぎ方法としては、純水（イオン交換水）による浸漬すすぎ、スプレーすすぎ、超音波すすぎなどが用いられる。
好ましくは、超音波すすぎである。このすすぎ工程も、通常３０〜６０℃の加温下で行われる。次いで、乾燥工程を経て、一連の洗浄は完了することとなる。
本発明の洗浄剤方法によれば、上記構成の洗浄剤組成物を使用することにより、今まで困難であった液晶パネルのカレットの洗浄を効率的にすることができると共に、液晶パネル表面及び空隙部位の液晶物質の汚垢の洗浄も効率的にできるものとなる。
【００１８】
【実施例】
次に、実施例及び比較例を挙げて本発明を更に具体的に説明するが、本発明は下記実施例に限定されるものではない。
【００１９】
〔実施例１〜４及び比較例１〜２〕
下記表１に示す配合組成となる液晶パネル用洗浄剤組成物を調製した。
得られた各液晶パネル用洗浄剤組成物について、下記評価方法により、液安定性（経日安定性）、液晶パネルのカレットの洗浄力及び空隙部位の洗浄力を評価した。
これらの結果を下記表１に示す。
【００２０】
〔洗浄剤組成物の液安定性（経日安定性）の評価方法〕
１００ｃｃ透明ビンに入れた、組成物を４５℃、及び５℃の雰囲気下に１週間静置し、その外観を下記評価基準で、目視で官能評価した。
評価基準：
○：均一透明液体
×：白濁
【００２１】
（カレット洗浄力の評価方法）
空隙３μｍの液晶パネル（５０ｍｍ×３０ｍｍ）の端子部位にガラス屑溶液（ガラスを粉砕したときに発生したガラス粉を水に分散させた溶液）を塗布し、１０５℃の乾燥機で６０分間乾燥を行い、顕微鏡で端子部分を観察し、洗浄前のガラス屑を数えた。
その後洗浄液に該パネルを浸し、４０℃、５分間、５０ｋHzの超音波洗浄を行い、次いで、該パネルを取り出し、４０℃、５分間、５０ｋＨｚの超音波すすぎをイオン交換水中で行い、さらに、取り出して、１０５℃の乾燥機で６０分間乾燥を行った。乾燥終了後、顕微鏡で観察し、洗浄後のガラス屑を数えた。洗浄前後のガラス屑を数え、下記の式を用いてカレットの洗浄力を算出した。
洗浄力＝｛[(洗浄前のガラス屑数）―(洗浄後のガラス屑数)]／洗浄前のガラス屑数｝×１００
【００２２】
（空隙部位の洗浄力の評価方法）
空隙３μｍの液晶パネルの空隙部位に液晶物質を塗布し、洗浄液に該パネルを浸し、４０℃、５分間、５０ｋHzの超音波洗浄を行い、次いで、該パネルを取り出し、４０℃、５分間、５０ｋＨｚの超音波すすぎをイオン交換水中で行い、さらに、取り出して、１０５℃の乾燥機で６０分間乾燥を行った。乾燥終了後、偏光顕微鏡で観察し、下記評価基準により評価した。
評価基準：
◎：残存する液晶を確認せず（完全洗浄）
○：ほとんどの液晶を除去（品質上問題がない）
△：残存する液晶を存在
×：全く液晶を洗浄できなかった
【００２３】
【表１】
0003801403.tif 000002
【００２４】
上記表１の結果から明らかなように、本発明範囲となる実施例１〜４は、本発明の範囲外となる比較例１〜２に較べ、液安定性（経日安定性）及び液晶パネルのカレットの洗浄力に優れており、更に空隙部位の液晶物質の汚垢に対する洗浄力にも優れていることが判明した。
【００２５】
【発明の効果】
本発明によれば、洗浄剤組成物は液晶パネル表面及び端子部分に付着したカレットのいずれの汚垢に対しても、十分な洗浄力を発揮し、また、液安定性にも優れた液晶パネル用洗浄剤組成物及びその組成物を用いた液晶パネルの洗浄方法が提供される。
また、本発明は、液晶パネル表面及び空隙部位の液晶物質の汚垢に対しても、良好な洗浄力を発揮することができる。